【手続補正書】
【提出日】平成21年5月7日(2009.5.7)
【手続補正１】
【補正対象書類名】明細書
【補正対象項目名】発明の名称
【補正方法】変更
【補正の内容】
【発明の名称】楽曲検索装置及び楽曲検索方法
【手続補正２】
【補正対象書類名】明細書
【補正対象項目名】特許請求の範囲
【補正方法】変更
【補正の内容】
【特許請求の範囲】
【請求項１】
複数の楽曲の音響信号である楽音データを格納する楽音データ格納手段と、
前記楽音データを読込んで、前記楽曲における複数の区間毎に特徴量を算出し、前記複数の区間毎の特徴量で構成される特徴ベクトルを作成する音楽的特徴抽出手段と、
前記音楽的特徴抽出手段により作成された前記特徴ベクトルと、所定の感性語に対する前記楽曲の適合度合いを示す感性ベクトルとを用いて、前記特徴ベクトルを検索空間における座標値に変換するための重み係数を算出すると共に、前記重み係数を用いて前記楽音データ格納手段に格納されている各楽曲の前記座標値を算出する検索空間作成手段と、
前記楽音データ格納手段に格納されている前記楽曲の中から検索する楽曲の参照曲となる楽曲を選択する参照曲選択手段と、
前記検索空間作成手段で算出された前記参照曲の座標値である基準座標値と、前記検索空間作成手段で算出された前記参照曲以外の他の楽曲の各座標値とを各々比較し、前記他の楽曲の内から前記基準座標値と近い座標値を有する楽曲を選択する検索手段と、
を備えることを特徴とする楽曲検索装置。
【請求項２】
前記音楽的特徴抽出手段は、
前記楽音データ格納手段から読み込んだ前記楽音データを周波数解析してフレーム毎のスペクトルデータを算出し、所定の周波数帯域に該当する前記スペクトルデータのフレーム間の差分値が隣接する複数のフレームにおいて最大となるフレームをビート位置として判定すると共に、前記ビート位置の個数を用いて算出したテンポ情報と、前記ビート位置における前記フレーム間の差分値を用いて算出したビート情報との少なくとも一方を用いて、楽曲の音楽的特徴を示す特徴ベクトルを作成する、
ことを特徴とする請求項１記載の楽曲検索装置。
【請求項３】
前記検索空間作成手段は、
前記音楽的特徴抽出手段で作成された特徴ベクトルと、所定の感性語に対する前記楽曲の適合度合いを示す感性ベクトルとを正準相関分析して検索空間を作成する、
ことを特徴とする請求項１または２記載の楽曲検索装置。
【請求項４】
前記検索空間作成手段は、
前記音楽的特徴抽出手段で作成された特徴ベクトルと、所定の感性語に対する前記楽曲の適合度合いを示す感性ベクトルとを重回帰分析して検索空間を作成する、
ことを特徴とする請求項１または２記載の楽曲検索装置。
【請求項５】
楽音データ格納手段に格納された複数の楽曲の音響信号である楽音データを読込んで、前記楽曲における複数の区間毎に特徴量を算出し、前記複数の区間毎の特徴量で構成される特徴ベクトルを作成する音楽的特徴抽出ステップと、
前記音楽的特徴抽出ステップにより作成された前記特徴ベクトルと、所定の感性語に対する前記楽曲の適合度合いを示す感性ベクトルとを用いて、前記特徴ベクトルを検索空間における座標値に変換するための重み係数を算出すると共に、前記重み係数を用いて前記楽音データ格納手段に格納されている各楽曲の前記座標値を算出する検索空間作成ステップと、
前記楽音データ格納手段に格納されている前記楽曲の中から検索する楽曲の参照曲となる楽曲を選択する参照曲選択ステップと、
前記検索空間作成ステップで算出された前記参照曲の座標値である基準座標値と、前記検索空間作成ステップで算出された前記参照曲以外の他の楽曲の各座標値とを各々比較し、前記他の楽曲の内から前記基準座標値と近い座標値を有する楽曲を選択する検索ステップと、
を備えることを特徴とする楽曲検索方法。
【請求項６】
前記音楽的特徴抽出ステップは、
前記楽音データ格納手段から読み込んだ前記楽音データを周波数解析してフレーム毎のスペクトルデータを算出し、所定の周波数帯域に該当する前記スペクトルデータのフレーム間の差分値が隣接する複数のフレームにおいて最大となるフレームをビート位置として判定すると共に、前記ビート位置の個数を用いて算出したテンポ情報と、前記ビート位置における前記フレーム間の差分値を用いて算出したビート情報との少なくとも一方を用いて、楽曲の音楽的特徴を示す特徴ベクトルを作成する、
ことを特徴とする請求項５記載の楽曲検索方法。
【請求項７】
前記検索空間作成ステップは、
前記音楽的特徴抽出ステップで作成された特徴ベクトルと、所定の感性語に対する前記楽曲の適合度合いを示す感性ベクトルとを正準相関分析して検索空間を作成する、
ことを特徴とする請求項５または６記載の楽曲検索方法。
【請求項８】
前記検索空間作成ステップは、
前記音楽的特徴抽出ステップで作成された特徴ベクトルと、所定の感性語に対する前記楽曲の適合度合いを示す感性ベクトルとを重回帰分析して検索空間を作成する、
ことを特徴とする請求項５または６記載の楽曲検索方法。
【手続補正３】
【補正対象書類名】明細書
【補正対象項目名】０００１
【補正方法】変更
【補正の内容】
【０００１】
【発明の属する技術分野】
本発明は、指定された参照曲に類似する印象を有する楽曲を複数の楽曲の中から検索、抽出する楽曲検索装置及び楽曲検索方法に係り、特に、ＣＤ（Compact Disk）等の一般的な楽音データの中から楽曲を検索することを可能にする技術に関する。
【手続補正４】
【補正対象書類名】明細書
【補正対象項目名】０００８
【補正方法】変更
【補正の内容】
【０００８】
本発明は、このような問題に鑑みてなされたものであり、その目的とするところは、ＣＤ等の一般的な楽音データの中からユーザの指定する参照曲に類似する印象を有する楽曲を検索することが可能な楽曲検索装置及び楽曲検索方法を提供することにある。
【手続補正５】
【補正対象書類名】明細書
【補正対象項目名】０００９
【補正方法】変更
【補正の内容】
【０００９】
【課題を解決するための手段】
以上の課題を解決すべく、本発明に係る楽曲検索装置の特徴は、
複数の楽曲の音響信号である楽音データを格納する楽音データ格納手段と、
前記楽音データを読込んで、前記楽曲における複数の区間毎に特徴量を算出し、前記複数の区間毎の特徴量で構成される特徴ベクトルを作成する音楽的特徴抽出手段と、
前記音楽的特徴抽出手段により作成された前記特徴ベクトルと、所定の感性語に対する前記楽曲の適合度合いを示す感性ベクトルとを用いて、前記特徴ベクトルを検索空間における座標値に変換するための重み係数を算出すると共に、前記重み係数を用いて前記楽音データ格納手段に格納されている各楽曲の前記座標値を算出する検索空間作成手段と、
前記楽音データ格納手段に格納されている前記楽曲の中から検索する楽曲の参照曲となる楽曲を選択する参照曲選択手段と、
前記検索空間作成手段で算出された前記参照曲の座標値である基準座標値と、前記検索空間作成手段で算出された前記参照曲以外の他の楽曲の各座標値とを各々比較し、前記他の楽曲の内から前記基準座標値と近い座標値を有する楽曲を選択する検索手段と、
を備えることである。
【手続補正６】
【補正対象書類名】明細書
【補正対象項目名】００１０
【補正方法】変更
【補正の内容】
【００１０】
また、本発明に係る楽曲検索方法の特徴は、
楽音データ格納手段に格納された複数の楽曲の音響信号である楽音データを読込んで、前記楽曲における複数の区間毎に特徴量を算出し、前記複数の区間毎の特徴量で構成される特徴ベクトルを作成する音楽的特徴抽出ステップと、
前記音楽的特徴抽出ステップにより作成された前記特徴ベクトルと、所定の感性語に対する前記楽曲の適合度合いを示す感性ベクトルとを用いて、前記特徴ベクトルを検索空間における座標値に変換するための重み係数を算出すると共に、前記重み係数を用いて前記楽音データ格納手段に格納されている各楽曲の前記座標値を算出する検索空間作成ステップと、
前記楽音データ格納手段に格納されている前記楽曲の中から検索する楽曲の参照曲となる楽曲を選択する参照曲選択ステップと、
前記検索空間作成ステップで算出された前記参照曲の座標値である基準座標値と、前記検索空間作成ステップで算出された前記参照曲以外の他の楽曲の各座標値とを各々比較し、前記他の楽曲の内から前記基準座標値と近い座標値を有する楽曲を選択する検索ステップと、
を備えることである。
【手続補正７】
【補正対象書類名】明細書
【補正対象項目名】００１１
【補正方法】変更
【補正の内容】
【００１１】
すなわち、本発明に係る楽曲検索装置及び楽曲検索方法の特徴においては、楽曲の音楽的特徴を示す特徴ベクトルと、所定の感性語に対する楽曲の適合度合いを示す感性ベクトルとを用いて検索空間における各楽曲の座標値を算出し、この検索空間上における参照曲の位置に近い位置にある楽曲を類似する楽曲として抽出するので、ＣＤ等の一般的な楽音データの中からユーザの指定する参照曲に類似する印象を有する楽曲を検索することができる。
【手続補正８】
【補正対象書類名】明細書
【補正対象項目名】００１２
【補正方法】変更
【補正の内容】
【００１２】
また、本発明に係る楽曲検索装置及び楽曲検索方法において、楽音データのスペクトルデータから抽出されるテンポ情報とビート情報との少なくとも一方を用いて、特徴ベクトルを作成するようにした場合には、ＣＤ等の楽曲のようなＭＩＤＩデータではない楽音データからでも特徴ベクトルを容易に作成することができる。
【手続補正９】
【補正対象書類名】明細書
【補正対象項目名】００１３
【補正方法】変更
【補正の内容】
【００１３】
尚、検索空間は、感性ベクトルと特徴ベクトルとを正準相関分析することにより、もしくは感性ベクトルと特徴ベクトルとを重回帰分析することにより作成するようにしてもよい。
【手続補正１０】
【補正対象書類名】明細書
【補正対象項目名】００１４
【補正方法】変更
【補正の内容】
【００１４】
【発明の実施の形態】
以下、図１〜図１０を参照して、本発明を適用した実施の形態である楽曲検索装置の構成及び動作について詳しく説明する。
【手続補正１１】
【補正対象書類名】明細書
【補正対象項目名】００７６
【補正方法】変更
【補正の内容】
【００７６】
【発明の効果】
本発明によれば、楽曲の音楽的特徴を示す特徴ベクトルと、所定の感性語に対する楽曲の適合度合いを示す感性ベクトルとを用いて検索空間における各楽曲の座標値を算出し、この検索空間上における参照曲の位置に近い位置にある楽曲を類似する楽曲として抽出するので、ＣＤ等の一般的な楽音データの中からユーザの指定する参照曲に類似する印象を有する楽曲を検索することができる。また、一旦検索空間が作成された後に、新たに追加される楽曲については、特徴ベクトルのみを求め、作成済みの検索空間に配置するようにしてもよく、その場合は、少ない労力で楽曲の追加を行うことを可能とする。
【手続補正１２】
【補正対象書類名】明細書
【補正対象項目名】００７７
【補正方法】変更
【補正の内容】
【００７７】
また、楽音データのスペクトルデータから抽出されるテンポ情報とビート情報との少なくとも一方を用いて、楽曲の特徴ベクトルを作成するようにした場合には、ＣＤ等の楽曲のようなＭＩＤＩデータではない楽音データであっても楽曲の特徴ベクトルを容易に作成することができる。